(57)【特許請求の範囲】
【請求項１】
印刷製品の少なくとも１つの複製品を検査する方法において、
ａ）印刷機により実行される印刷プロセス中、前記印刷製品の少なくとも１つの第１の複製品と、同一の印刷製品の少なくとも１つの第２の複製品を作成するステップと、
ｂ）検査システムの画像キャプチャ装置を用いて、前記印刷製品の少なくとも１つの第１の複製品から、写真イメージ（０１）を作成するステップと、
ｃ）検査に先立ち実施される検査システムの学習フェーズ中、前記印刷製品の少なくとも１つの第１の複製品から作成された前記写真イメージ（０１）に基づき、該写真イメージ（０１）中に含まれる、該当複製品のための固定基準点（０２）に対し位置が不定の少なくとも１つの位置不定要素（０６；０７；０８）の写真イメージを、前記印刷製品の該当する第１の複製品から作成された同一の写真イメージ（０１）中に同じく含まれる、同一の固定基準点（０２）に対し位置が一定の少なくとも１つの位置一定要素（０３；０４）の写真イメージから分離するステップと、
ｄ）前記印刷製品の少なくとも１つの第１の複製品の前記写真イメージ（０１）から得られた、少なくとも１つの位置一定要素（０３；０４）のイメージを、少なくとも１つの位置一定要素（０３；０４）各々のための基準イメージとして用い、前記印刷製品の少なくとも１つの第１の複製品の同一の写真イメージ（０１）から得られた、少なくとも１つの位置不定要素（０６；０７；０８）のイメージを、少なくとも１つの位置不定要素（０６；０７；０８）各々のための別の基準イメージとして用いるステップと、
ｅ）前記学習フェーズに続く検査フェーズ中、前記検査システムの画像キャプチャ装置により、前記印刷製品の少なくとも１つの第２の複製品からも、写真イメージ（０１）を作成するステップと、
ｆ）前記検査中、前記印刷製品の少なくとも１つの第２の複製品から作成された前記写真イメージ（０１）に基づき、該写真イメージ（０１）中に含まれる、該当複製品のための固定基準点（０２）に対し位置が不定の少なくとも１つの位置不定要素（０６；０７；０８）の写真イメージを、前記印刷製品の該当する第２の複製品から作成された同一の写真イメージ（０１）中に同じく含まれる、同一の固定基準点（０２）に対し位置が一定の少なくとも１つの位置一定要素（０３；０４）の写真イメージから分離するステップと、
ｇ）前記印刷製品の少なくとも１つの第２の複製品の前記写真イメージ（０１）中に含まれる、少なくとも１つの位置一定要素（０３；０４）の写真イメージを、前記印刷製品の少なくとも１つの第１の複製品から得られた、少なくとも１つの位置一定要素（０３；０４）に対応する前記基準イメージと比較し、前記印刷製品の少なくとも１つの同一の第２の複製品の同一の写真イメージ（０１）中に含まれる、少なくとも１つの位置不定要素（０６；０７；０８）の写真イメージを、前記印刷製品の少なくとも１つの第１の複製品から得られた、該当する位置不定要素（０６；０７；０８）に対応する前記基準イメージと比較するステップと
を含むことを特徴とする、
印刷製品の少なくとも１つの複製品を検査する方法。
【請求項２】
前記固定基準点に対し位置が不定の少なくとも１つの位置不定要素（０６；０７；０８）と、該当する第１または第２の複製品から作成された同一の写真イメージ（０１）中に含まれる、前記固定基準点に対し位置が一定の少なくとも１つの位置一定要素（０３；０４）の写真イメージとの分離を、フィルタまたはフィルタリング方法によって実施する、
請求項１記載の方法。
【請求項３】
前記検査に先立ち実施される学習フェーズ中、前記分離が実施された後、前記固定基準点（０２）に対し位置が一定の少なくとも１つの位置一定要素（０３；０４）の少なくとも１つの写真イメージを、少なくとも１つの位置一定要素（０３；０４）に対応する基準イメージとして、第１の記憶装置（１１）に格納し、
前記固定基準点（０２）に対し位置が不定の少なくとも１つの位置不定要素（０６；０７；０８）の少なくとも１つの写真イメージを、位置不定要素（０６；０７；０８）各々に対応する基準イメージとして、第２の記憶装置（１２）に格納する、
請求項１または２記載の方法。
【請求項４】
前記印刷製品の少なくとも１つの第１の複製品において、および／または、前記印刷製品の少なくとも１つの第２の複製品において、前記固定基準点（０２）に対し位置が一定の少なくとも１つの位置一定要素（０３；０４）の少なくとも１つの写真イメージ各々のために、および／または、前記固定基準点（０２）に対し位置が不定の少なくとも１つの位置不定要素（０６；０７；０８）の少なくとも１つの写真イメージ各々のために、それぞれポジション補正（０９）を実施し、該ポジション補正（０９）において、要素（０３；０４；０６；０７；０８）各々の配置変化が予期される場合および／または識別された場合に、該当するイメージにおいて予期される配置変化および／または識別された配置変化を補償するための動きベクトルを計算する、
請求項１から３のいずれか１項記載の方法。
【請求項５】
前記印刷製品の少なくとも１つの第１の複製品において予期される配置変化および／または識別された配置変化の前記補償を、基準イメージ各々を前記記憶装置（１１；１２）のうち１つの記憶装置に格納する前に実施する、
請求項４記載の方法。
【請求項６】
前記印刷製品の少なくとも１つの第２の複製品において予期される配置変化および／または識別された配置変化の前記補償を、基準イメージ各々と個々に比較する前に実施する、
請求項４または５記載の方法。
【請求項７】
前記印刷製品の少なくとも１つの第１の複製品の写真イメージ（０１）の分離を、および／または、前記印刷製品の少なくとも１つの第２の複製品の写真イメージ（０１）の分離を、それぞれ制御ユニットにより実行または少なくとも制御する、
請求項１から６のいずれか１項記載の方法。
【請求項８】
前記ポジション補正（０９）の実施を、および／または前記記憶装置（１１；１２）のうち１つの記憶装置への基準イメージ各々の格納を、それぞれ制御ユニットにより実行または少なくとも制御する、
請求項１から７のいずれか１項記載の方法。
【請求項９】
前記印刷製品の少なくとも１つの第１の複製品の写真イメージ（０１）の分離を、および／または、前記印刷製品の少なくとも１つの第２の複製品の写真イメージ（０１）の分離を、それぞれリアルタイムに実行する、
請求項１から８のいずれか１項記載の方法。
【請求項１０】
前記ポジション補正（０９）の実施を、および／または前記記憶装置（１１；１２）のうち１つの記憶装置への基準イメージ各々の格納を、それぞれリアルタイムに実行する、
請求項１から９のいずれか１項記載の方法。
【請求項１１】
前記画像キャプチャに用いられる画像キャプチャ装置の標準フレームを、前記制御ユニットにより画像キャプチャ面の少なくとも１つの方向で拡大する、
請求項１から１０のいずれか１項記載の方法。
【請求項１２】
前記印刷製品の該当複製品の固定基準点（０２）として、前記印刷製品の該当複製品の周縁部または中央部をそれぞれ用いる、
請求項１から１１のいずれか１項記載の方法。
【請求項１３】
前記方法を有価紙片印刷または包装印刷に用いる、
請求項１から１２のいずれか１項記載の方法。
【請求項１４】
前記印刷製品として、紙幣または有価証券または折り畳みボール箱を用いる、
請求項１から１３のいずれか１項記載の方法。
【請求項１５】
前記印刷製品の該当する第１および／または第２の複製品の少なくとも１つの位置不定要素（０６；０７；０８）として、前記印刷製品の該当複製品に組み込まれる光沢ストライプまたはパールストライプまたはイリオジン（登録商標）のストライプを用いる、
請求項１から１４のいずれか１項記載の方法。
【請求項１６】
前記印刷製品の少なくとも１つの第２の複製品の印刷画像の検査中、少なくとも１つの位置不定要素（０６；０７；０８）の該当する対応の基準イメージ各々を、前記印刷製品の検査すべき少なくとも１つの第２の複製品各々について目下作成された写真イメージ（０１）各々に合わせてポジショニングする、
請求項１から１５のいずれか１項記載の方法。
【請求項１７】
少なくとも１つの位置一定要素（０３；０４）に対応する、前記第１の記憶装置（１１）に格納された基準イメージと、少なくとも１つの位置不定要素（０６；０７；０８）に対応する、前記第２の記憶装置（１２）に格納された基準イメージとを、加算部（１６）においてデータ技術的に単一の仮想基準イメージまたは合成基準イメージとして統合してから、仮想基準イメージまたは合成基準イメージとして統合された基準イメージを比較器（１４）へ供給する、ただし前記仮想基準イメージまたは前記合成基準イメージにおいて、統合された前記基準イメージ各々の情報内容自体は維持する、
請求項１から１６のいずれか１項記載の方法。
【発明の詳細な説明】
【技術分野】
【０００１】
本発明は、請求項１記載の印刷製品の少なくとも１つの複製品を検査する方法に関する。
【背景技術】
【０００２】
DE 10 2004 021 047 B3によれば、画像記録ユニットと、ロジックユニットを備え画像記録ユニットの画像データを評価する画像処理ユニットとを少なくとも含むシステムを利用して、１つの画像を少なくとも１つの基準画像と比較する方法が公知である。この場合、画像記録ユニットにより記録された画像が、少なくとも１つの基準画像と比較され、この画像比較はロジックユニットにより実行される。画像比較によって、印刷機により製作された印刷物の品質が判定され、その際、ロジックユニットは印刷機による製作プロセス中に、複数の判定基準に関して印刷物の品質を判定する。印刷機により製作された印刷物の品質判定は、少なくとも２つのプロセス単位に分けられる。画像記録ユニットは、このユニットに設けられた画像センサによって記録された画像データを、ディジタルデータとしてロジック回路に転送する。
【０００３】
さらにDE 43 21 177 A1には、印刷機において作成された少なくとも１つの印刷製品の画像検査方法が開示されている。この場合、計算装置において、印刷製品についてディジタル形式で存在するすべての最新の画像データが、目標値と実際値の比較にあたりｏｋ画像の目標データと比較される。このような方法によれば、画像データ取得時点に、印刷製品の位置がひとりでに変わってしまっていたり、あるいはこの印刷製品に関連づけられた固定的な基準点に対し位置にばらつきがあり不定である少なくとも１つの要素を印刷製品が含む場合には、必然的にエラーメッセージが発せられる。
【０００４】
有価紙片印刷の場合には特に、ただし高価な包装印刷の場合にも、固定的な基準点に対し位置にばらつきがある少なくとも１つの位置不定要素を含む印刷製品が製作され、これはたとえば紙幣、有価証券または折り畳みボール箱などである。この場合の基準点は、対象とする印刷製品またはこの印刷製品の複製品に関連づけられて、固定的につまり一定の位置に形成されている。この種の位置不定要素とはたとえば、対象とする印刷製品もしくはこの印刷製品の複製品に組み込まれた光沢ストライプであり、特にパール光沢ストライプまたはイリオジン（登録商標）のストライプなどである。対象とする印刷製品もしくは印刷製品の複製品を光源に対し傾けると、イリオジンストライプが光沢を放つストライプとして出現し、このストライプはたとえば淡黄色から山吹色まで変化し、やがて再び消滅する。光沢ストライプは、紙幣においては特にセキュリティ機能として用いられる。それぞれ１つの光沢ストライプを有する印刷製品の一連の複製品において、たとえば有価紙片印刷の場合に１枚のシートから裁断されて製造される複数の紙幣などでは、製作技術に起因してこの種の光沢ストライプは、対象とする印刷製品の複製品ごとに、たとえばこの印刷製品の該当する複製品の周縁部またはその中央部に設けられた固定的な基準点に対し、位置がばらついて不定となる可能性がある。つまり、このような印刷製品の複製品シリーズの検査プロセスにおいて、印刷製品の１つの複製品の光沢ストライプの位置は、それと同じシリーズの印刷製品における他の複製品と比べると、少なくとも僅かに変化し、予期される配置とは偏差が生じる。この偏差は不規則であり、ある特定の方向ばかりではない可能性もある。たとえば光沢ストライプとして形成された位置不定要素の配置もしくはポジショニングがこのように変化すると、検査にあたり位置が固定された画像キャプチャ装置を用い、従来のように目標値と実際値の比較を行い、目下の画像データを事前に確定されたたとえば印刷準備段階に取得された静的な基準画像データと比較したのでは、エラーメッセージが発生してしまう。
【発明の概要】
【発明が解決しようとする課題】
【０００５】
したがって本発明の課題は、印刷製品の少なくとも１つの複製品を検査する方法において、位置にばらつきがある少なくとも１つの要素を含む対象印刷製品の複製品の検査にも適したものとすることである。
【課題を解決するための手段】
【０００６】
本発明によればこの課題は、請求項１記載の特徴により解決される。
【０００７】
本発明によって達成可能な利点とは殊に、対象印刷製品の複製品において、位置が一定の要素だけでなく位置にばらつきがあり不定である要素も、高い信頼性を伴って検査されることである。このことは、位置が不定である少なくとも１つの要素の目標値と実際値の比較のために、少なくとも１つのこのような要素はその配置が変わりやすいこと、すなわちその位置にばらつきがあることを考慮に入れた基準画像データを用いることにより達成される。
【０００８】
図面には本発明の実施例が示されており、次にこれについて詳しく説明する。
【図面の簡単な説明】
【０００９】
【図１】印刷製品の少なくとも１つの複製品の検査の準備に関するブロック図
【図２】画像キャプチャのために拡大されたフレームを示す図
【図３】印刷製品の少なくとも１つの複製品の検査の実行に関するブロック図
【発明を実施するための形態】
【００１０】
図１のブロック図には、ある印刷製品の有利には複数の複製品の検査を準備するためのいくつかのステップが示されている。ここではこの検査により、この印刷製品の対象複製品のうち、特に１つの印刷画像を含む表面が調べられる。印刷製品の検査のこの準備において重要であるのは、検査に利用されるシステムのいわゆる学習フェーズにおいて、特に制御ユニットにおいて実行されるプログラムのための学習フェーズにおいて、このあとに続いて実施される検査に適した少なくとも１つの基準イメージを生成し供給することである。その後、学習フェーズに続く本来の検査中に、対象印刷製品の少なくとも１つの複製品について作成された最新のイメージが、学習フェーズ中に生成された上述の基準イメージと比較される。この場合、基準イメージは、検査すべき印刷製品の少なくとも１つの複製品の対象印刷画像の誤りのないイメージを表している。
【００１１】
基準イメージを作成するため第１のステップにおいて、検査システムにより用いられる画像キャプチャ装置によって、検査すべき印刷製品の少なくとも１つの複製品ただし有利には複数の複製品について、それぞれ１つの写真イメージ０１が生成される。画像キャプチャは有利には印刷機内で、たとえば輪転印刷機内特に枚葉紙輪転印刷機内で、対象印刷製品の複数の複製品の製作中に行われる。印刷製品として、印刷機によりたとえば紙幣または他の有価証券が作成され、その際に有利には、これらの紙幣または有価証券の複数が１枚の枚葉紙に配置され、印刷機は特定の製作過程において、すなわち印刷プロセスの進行中に、相前後して複数の、殊に数千枚のこの種の枚葉紙が印刷される。その際にたとえば、使用される検査システムに応じて、それらの枚葉紙各々が、および／または、それらの枚葉紙のうちの１枚に配置された個々の紙幣各々もしくは個々の有価証券各々が、この印刷製品の複製品としてそれぞれ観察される。少なくとも１つの複製品の個々の写真イメージ０１が、有利には対象印刷製品の個々の複数の複製品の写真イメージ０１が、検査システムの画像キャプチャ装置によって、たとえばオプトエレクトロニクスカメラ特にたとえばラインスキャンカメラとして構成されたカメラにより作成され、それによって対象印刷製品の個々の複製品の個々の写真イメージ０１が、たとえばカメラの後段に接続された検査システムの制御ユニットにおいて、それぞれディジタル画像データの形式で準備される。対象印刷製品の複製品の個々の写真イメージ０１によって、これらの複製品全体をそれぞれ結像させることもできるし、またはそれぞれ選択されたセクションまたは切り取られた断片だけを部分的に結像させることもできる。この印刷製品の該当する複製品もしくはそのセクションまたは断片は、殊にその印刷画像内において、この印刷製品の該当する複製品の、固定基準点０２に対し位置が一定である少なくとも１つの要素０３；０４と、同じ固定基準点０２に対し位置が不定である少なくとも１つの要素０６；０７；０８とを有している。その際、対象印刷製品の個々の複製品に対する１つの同一の結像プロセス中に、印刷製品の該当する複製品の少なくとも１つの位置一定要素０３；０４も、印刷製品の該当する複製品の少なくとも１つの位置不定要素０６；０７；０８も、それぞれ同時にキャプチャされ、その結果、印刷製品の該当する複製品の評価すべき個々の写真イメージ０１は、少なくとも１つの位置一定要素０３；０４も、少なくとも１つの位置不定要素０６；０７；０８も含むことになる。印刷製品の該当する複製品は、たとえば紙幣または有価証券の紙片として形成されていることから、たとえば矩形状に形成されている。この印刷製品の該当する複製品の固定基準点０２はたとえば、この印刷製品の該当する複製品の選択された周縁部または選択された頂点である。図１に示されている実施例の場合、この印刷製品の該当する複製品の少なくとも１つの位置一定要素０３；０４は、三角形もしくは星として描かれているのに対し、この印刷製品の該当する複製品の少なくとも１つの位置不定要素０６；０７；０８はそれぞれ、該当する複製品をたとえばその狭幅辺と平行に貫通するストライプとして描かれている。
【００１２】
さらに検査システムの学習フェーズ中、画像キャプチャに続く第２のステップにおいて、この印刷製品の該当する複製品の写真イメージ０１が、たとえば制御ユニットにおいて実行される分離プロセスにおいて、以下のようにして２つの部分に分解される。すなわち、この印刷製品の該当する複製品の作成された写真イメージ０１から出発し、この写真イメージに含まれる、固定基準点０２に対し位置が不定である少なくとも１つの要素０６；０７；０８の写真イメージが、印刷製品の該当複製品の作成された同一の写真イメージ０１に同様に含まれる、固定基準点０２に対し位置が一定である少なくとも１つの要素０３；０４の写真イメージから、分離される。ついでこれら双方の部分イメージ各々が、図１においてそれぞれ異なる矢印で描かれているように、それぞれ固有のデータ処理分岐中で引き続き処理される。この第２のステップによって、少なくとも１つの位置不定要素０６；０７；０８が、たとえば背景画像として形成された、この印刷製品の該当する複製品の写真イメージ０１の位置一定要素０３；０４と分離される。
【００１３】
検査システムの学習フェーズ中、この分離が行われた後、第３のステップにおいて、固定基準点０２に対し位置が一定である少なくとも１つの要素０３；０４の写真イメージが、たとえば制御ユニットにより、少なくとも１つの位置一定要素０３；０４に対応する基準イメージとして、制御ユニットと接続された第１の記憶装置１１に記憶され、固定基準点０２に対し位置が不定である少なくとも１つの要素０６；０７；０８の写真イメージも、たとえば制御ユニットにより、個々の少なくとも１つの位置不定要素０６；０７；０８に対応する基準イメージとして、制御ユニットと接続された第２の記憶装置１２に記憶される。検査システムの学習フェーズ中、この印刷製品の複製品について有利には複数のこの種の基準イメージが生成されて記憶される。図１ではこのことが、記憶装置１１，１２に「スタックされた」基準イメージとして表現されている。ある特定の印刷製品の複製品が、互いに異なる複数の位置不定要素０６；０７；０８をそれぞれ含んでいる場合には殊に、これら位置不定要素０６；０７；０８各々ごとに、それぞれ１つの固有の対応する基準イメージが生成され記憶される。
【００１４】
有利には、個々の基準イメージを記憶装置１１；１２の一方に記憶させる前、１つの中間ステップにおいて、固定基準点０２に対し位置が一定である少なくとも１つの要素０３；０４の写真イメージについて、および／または、固定基準点０２に対し位置が不定である少なくとも１つの要素０６；０７；０８の写真イメージについて、たとえば特別な計算方法を実行することによって、そのつど全域的なポジション補正を以下のようにして実行することができる。すなわち、制御ユニットがたとえば、分離により生じる個々のデータ処理分岐中で、個々の要素０３；０４；０６；０７；０８の配置変化が予期される場合および／または識別された場合、有利にはリアルタイムで、これらの要素０３；０４；０６；０７；０８の各々について、該当イメージにおいて予期されるおよび／または識別された配置変化を補償するための動きベクトルをそのつど計算する。そしてこの動きベクトルはフィルタ１３において利用され、たとえば制御ユニットにより実行されるフィルタリング方法において利用され、これによって、該当する位置一定要素０３；０４および／または位置不定要素０６；０７；０８の個々の配置変化が、個々の基準イメージが記憶装置１１；１２の一方に記憶される前に、および／または個々の基準イメージとの個々の比較が実行される前に、補償される。
【００１５】
図１にシンボリックに表されているように、印刷製品の個々の複製品において位置不定要素０６；０７；０８は、それらの配置が変化することに起因して、画像キャプチャで用いられる標準フレームによっても、もはや捕捉されないようなずれを含む可能性がある。たとえば、印刷製品の個々の複製品に配置された光沢ストライプもしくはイリオジンストライプが、該当複製品の印刷画像において垂直方向に変位することによって、検査システムの画像キャプチャ装置によって実行される画像キャプチャの標準フレームによっても、もはやその全体をキャプチャしきれない、という事態が発生する可能性がある。したがって、画像キャプチャ装置のこの標準フレームが、たとえば制御ユニットによって、画像キャプチャ平面内の少なくとも１つの方向で拡大されるように、構成することができる。つまりたとえば、この実施例では画像キャプチャフレームを規定する２０４８ｘ１５３６個のピクセルに制限されている画像キャプチャ平面を、たとえばディジタルズームなどによって、一例として２０４８ｘ２０４８個のピクセルまで拡大することができ、これにより、たとえば枚葉紙に印刷された紙幣において監視すべき光沢ストライプが、たとえば垂直方向にずれた場合でも、このストライプをその写真イメージ内で完全に結像させることができる。なぜならば、検査にあたり有益な情報を失うことがないよう、印刷製品の該当複製品において対象となる位置不定要素が、または各位置不定要素０６；０７；０８のいずれもが、拡大された画像キャプチャフレーム内に完全に収まるようにしなければならないからである。図２にはこのことが例示されており、この図には、それぞれストライプとして形成された４つの位置不定要素０６；０７；０８が、それらの個々の配置に関してばらついた個々の領域とともに描かれている。
【００１６】
図３には、印刷製品の有利には複数の複製品に対する本来の検査の流れを示すブロック図が描かれている。検査システムの学習フェーズが終了した後、制御ユニットは、学習フェーズに該当するモードから検査を実行するモードへ、自動的にまたは手動で切り替えられる。学習フェーズに関連してすでに述べたように、画像キャプチャ装置たとえばカメラによりそのつど作成される、印刷製品の検査対象複製品の写真イメージ０１には、固定基準点０２に対し位置が一定である少なくとも１つの要素０３；０４と、同一の固定基準点０２に対し位置が不定である少なくとも１つの要素０６；０７；０８とが含まれている。固定基準点０２に対し位置が一定である少なくとも１つの要素０３；０４の写真イメージについても、固定基準点０２に対し位置が不定である少なくとも１つの要素０６；０７；０８の写真イメージについても、図示の実施例では、それぞれ全域的なポジション補正０９が行われる。個々の要素０３；０４；０６；０７；０８の配置変化が予期される場合および／または識別された場合、制御ユニットは有利にはリアルタイムでそれらの要素０３；０４；０６；０７；０８の各々について、それぞれ動きベクトルを計算する。この動きベクトルはたとえばフィルタ１３において利用され、特に制御ユニットにおいてプログラムにより実行されるフィルタリング方法において利用される。このようにして準備処理された、この印刷製品の目下検査すべき複製品の写真イメージ０１は、比較器１４へ供給される。この比較器１４も、制御ユニットにおいて実行される方法によって実現することができる。この比較器１４には、少なくとも１つの位置一定要素０３：０４に対応し第１の記憶装置１１に記憶されている基準イメージも、少なくとも１つの位置不定要素０６；０７；０８に対応し第２の記憶装置１２に記憶されている基準イメージも供給される。少なくとも１つの位置一定要素０３：０４に対応し第１の記憶装置１１に記憶された基準イメージと、少なくとも１つの位置不定要素０６；０７；０８に対応し第２の記憶装置１２に記憶された基準イメージとを、たとえば制御ユニットにより、個々の比較の実行前に、すなわちそれらが比較器１４へ供給される前に、データ技術的にたとえば１つのファイルに統合して、単一の仮想基準イメージまたは合成基準イメージとしておくことができる。このことは図３では、加算部１６としてシンボリックに描かれている。記憶されていた両方の基準イメージを、たとえば１つの同じファイルとしてデータ技術的に統合したとはいえ、両方の基準イメージにおける個々の情報内容自体はそれぞれ維持されたままである。比較器１４において、目下作成されている印刷製品の検査対象複製品の写真イメージ０１中に含まれる、少なくとも１つの位置一定要素０３：０４の写真イメージが、この少なくとも１つの位置一定要素０３：０４に対応する基準イメージと比較され、目下作成されている検査対象印刷製品の該当複製品の同じ写真イメージ０１に含まれる、少なくとも１つの位置不定要素０６；０７；０８の写真イメージが、この少なくとも１つの位置不定要素０６；０７；０８に対応する基準イメージと比較される。この比較において、まえもって設定されている許容限界を上回っているまたは下回っている偏差が生じた場合、制御ユニットは、たとえばエラーイメージの形態でエラーメッセージ１７を発生し、このエラーイメージは、たとえば断片的にしか再現されていない要素０３；０４；０６；０７；０８を含み、これはたとえば有利には制御ユニットと接続されたモニタによって表示される。エラーイメージによって表されるのはたとえば、検査対象印刷製品の該当複製品の作成された写真イメージ０１と、たとえば予め形成された仮想の基準イメージとの差である。この差が予め定められた閾値を上回っている場合、対象印刷製品の検査される個々の複製品に誤りがある状態であるとみなされ、そうでなければ十分に誤りのない状態であるとみなされる。少なくとも１つの位置不定要素０６；０７；０８について固有の基準イメージを事前に形成することによって、または位置不定要素０６；０７；０８各々について固有の個々の基準イメージを事前に形成することによって、検査対象印刷製品の個々の複製品の印刷画像検査中、対応する個々の該当基準イメージが、そのつど作成される検査対象印刷製品の個々の複製品の写真イメージ０１に含まれる個々の位置不定要素０６；０７；０８に合わせて、ポジショニングされる。このことはたとえば、制御ユニットが有利にはリアルタイムでたとえばピクセルごとに、以下のことについて検査することにより行われる。すなわち、ある１つの特定の位置不定要素０６；０７；０８のために記憶されている基準イメージが、特にここではそのつど全体的にキャプチャされた個々の位置不予定要素０６；０７；０８と、予め定められた許容範囲内で一致しているか否か、について検査する。
【００１７】
本発明によれば、印刷製品の少なくとも１つの複製品を検査するための、以下のステップを含む方法が提供される。すなわち、
ａ）印刷機により実行される印刷プロセス中、前記印刷製品の少なくとも１つの第１の複製品と、同一の印刷製品の少なくとも１つの第２の複製品を作成するステップと、
ｂ）検査システムの画像キャプチャ装置を用いて、前記印刷製品の少なくとも１つの第１の複製品から、写真イメージ０１を作成するステップと、
ｃ）検査に先立ち実施される検査システムの学習フェーズ中、前記印刷製品の少なくとも１つの第１の複製品から作成された前記写真イメージ０１に基づき、該写真イメージ０１中に含まれる、該当複製品のための固定基準点０２に対し位置が不定の少なくとも１つの位置不定要素０６；０７；０８の写真イメージを、前記印刷製品の該当する第１の複製品から作成された同一の写真イメージ０１中に同じく含まれる、同一の固定基準点０２に対し位置が一定の少なくとも１つの位置一定要素０３；０４の写真イメージから分離するステップと、
ｄ）前記印刷製品の少なくとも１つの第１の複製品の前記写真イメージ０１から得られた、少なくとも１つの位置一定要素０３；０４のイメージを、少なくとも１つの位置一定要素０３；０４各々のための基準イメージとして用い、前記印刷製品の少なくとも１つの第１の複製品の同一の写真イメージ０１から得られた、少なくとも１つの位置不定要素０６；０７；０８のイメージを、少なくとも１つの位置不定要素０６；０７；０８各々のための別の基準イメージとして用いるステップと、
ｅ）前記学習フェーズに続く検査フェーズ中、前記検査システムの画像キャプチャ装置により、前記印刷製品の少なくとも１つの第２の複製品からも、写真イメージ０１を作成するステップと、
ｆ）前記検査中、前記印刷製品の少なくとも１つの第２の複製品から作成された前記写真イメージ０１に基づき、該写真イメージ０１中に含まれる、該当複製品のための固定基準点０２に対し位置が不定の少なくとも１つの位置不定要素０６；０７；０８の写真イメージを、前記印刷製品の該当する第２の複製品から作成された同一の写真イメージ０１中に同じく含まれる、同一の固定基準点０２に対し位置が一定の少なくとも１つの位置一定要素０３；０４の写真イメージから分離するステップと、
ｇ）前記印刷製品の少なくとも１つの第２の複製品の前記写真イメージ０１中に含まれる、少なくとも１つの位置一定要素０３；０４の写真イメージを、前記印刷製品の少なくとも１つの第１の複製品から得られた、少なくとも１つの位置一定要素０３；０４に対応する前記基準イメージと比較し、前記印刷製品の少なくとも１つの同一の第２の複製品の同一の写真イメージ０１中に含まれる、少なくとも１つの位置不定要素０６；０７；０８の写真イメージを、前記印刷製品の少なくとも１つの第１の複製品から得られた、該当する位置不定要素０６；０７；０８に対応する前記基準イメージと比較するステップと
を含む方法が提供される。
【００１８】
有利な実施形態および／または発展形態は、たとえば以下のとおりである。これらは、上述の方法と関連して任意の組み合わせで適用することができる。
【００１９】
ａ）前記固定基準点に対し位置が不定の少なくとも１つの位置不定要素０６；０７；０８と、該当する第１または第２の複製品から作成された同一の写真イメージ０１中に含まれる、前記固定基準点に対し位置が一定の少なくとも１つの位置一定要素０３；０４の写真イメージとの分離を、フィルタまたはフィルタリング方法によって実施する。
【００２０】
ｂ）前記検査に先立ち実施される学習フェーズ中、前記分離が実施された後、前記固定基準点０２に対し位置が一定の少なくとも１つの位置一定要素０３；０４の少なくとも１つの写真イメージを、少なくとも１つの位置一定要素０３；０４に対応する基準イメージとして、第１の記憶装置１１に格納し、前記固定基準点０２に対し位置が不定の少なくとも１つの位置不定要素０６；０７；０８の少なくとも１つの写真イメージを、位置不定要素０６；０７；０８各々に対応する基準イメージとして、第２の記憶装置１２に格納する。
【００２１】
ｃ）前記印刷製品の少なくとも１つの第１の複製品において、および／または、前記印刷製品の少なくとも１つの第２の複製品において、前記固定基準点０２に対し位置が一定の少なくとも１つの位置一定要素０３；０４の少なくとも１つの写真イメージ各々のために、および／または、前記固定基準点０２に対し位置が不定の少なくとも１つの位置不定要素０６；０７；０８の少なくとも１つの写真イメージ各々のために、それぞれポジション補正０９を実施し、該ポジション補正０９において、要素０３；０４；０６；０７；０８各々の配置変化が予期される場合および／または識別された場合に、該当するイメージにおいて予期される配置変化および／または識別された配置変化を補償するための動きベクトルを計算する。
【００２２】
ｄ）前記印刷製品の少なくとも１つの第１の複製品において予期される配置変化および／または識別された配置変化の前記補償を、基準イメージ各々を前記記憶装置１１；１２のうち１つの記憶装置に格納する前に実施する。
【００２３】
ｅ）前記印刷製品の少なくとも１つの第２の複製品において予期される配置変化および／または識別された配置変化の前記補償を、基準イメージ各々と個々に比較する前に実施する。
【００２４】
ｆ）前記印刷製品の少なくとも１つの第１の複製品の写真イメージ０１の分離を、および／または、前記印刷製品の少なくとも１つの第２の複製品の写真イメージ０１の分離を、それぞれ制御ユニットにより実行または少なくとも制御する。
【００２５】
ｇ）前記ポジション補正０９の実施を、および／または前記記憶装置１１；１２のうち１つの記憶装置への基準イメージ各々の格納を、それぞれ制御ユニットにより実行または少なくとも制御する。
【００２６】
ｈ）前記印刷製品の少なくとも１つの第１の複製品の写真イメージ０１の分離を、および／または、前記印刷製品の少なくとも１つの第２の複製品の写真イメージ０１の分離を、それぞれリアルタイムに実行する。
【００２７】
ｉ）前記ポジション補正０９の実施を、および／または前記記憶装置１１；１２のうち１つの記憶装置への基準イメージ各々の格納を、それぞれリアルタイムに実行する。
【００２８】
ｊ）前記画像キャプチャに用いられる画像キャプチャ装置の標準フレームを、前記制御ユニットにより画像キャプチャ面の少なくとも１つの方向で拡大する。
【００２９】
ｋ）前記印刷製品の該当複製品の固定基準点０２として、前記印刷製品の該当複製品の周縁部または中央部をそれぞれ用いる。
【００３０】
ｌ）前記方法を有価紙片印刷または包装印刷に用いる。
【００３１】
ｍ）前記印刷製品として、紙幣または有価証券または折り畳みボール箱を用いる。
【００３２】
ｎ）前記印刷製品の該当する第１および／または第２の複製品の少なくとも１つの位置不定要素０６；０７；０８として、前記印刷製品の該当複製品に組み込まれる光沢ストライプまたはパールストライプまたはイリオジンストライプを用いる。
【００３３】
ｏ）前記印刷製品の少なくとも１つの第２の複製品の印刷画像の検査中、少なくとも１つの位置不定要素０６；０７；０８の該当する対応の基準イメージ各々を、たとえば画像処理方法においてプログラム技術的に、前記印刷製品の検査すべき少なくとも１つの第２の複製品各々について目下作成された写真イメージ０１各々に合わせてポジショニングする。
【００３４】
ｐ）少なくとも１つの位置一定要素０３；０４に対応する、前記第１の記憶装置１１に格納された基準イメージと、少なくとも１つの位置不定要素０６；０７；０８に対応する、前記第２の記憶装置１２に格納された基準イメージとを、単一の仮想基準イメージまたは合成基準イメージとして加算部１６においてデータ技術的に統合してから、仮想基準イメージまたは合成基準イメージとして統合された基準イメージを比較器１４へ供給する。ただし前記仮想基準イメージまたは前記合成基準イメージにおいて、統合された前記基準イメージ各々の情報内容自体は維持する。
【符号の説明】
【００３５】
０１  イメージ
０２  基準点
０３  位置一定要素
０４  位置一定要素
０６  位置不定要素
０７  位置不定要素
０８  位置不定要素
０９  ポジション補正
１１  第１の記憶装置
１２  第２の記憶装置
１３  フィルタ
１４  比較器
１６  加算部
１７  エラーメッセージ
【図１】
0005882544.tif 000002
【図２】
0005882544.tif 000003
【図３】
0005882544.tif 000004